(57)【要約】【課題】内部導体の曲げ位置の一定化を容易に実現することができる内部導体先端曲げ治具を提供する。【解決手段】内部導体２を所定長、突出させた状態の同軸ケーブル４を保持溝に保持し、該保持により突出させた内部導体２の先端部が逃げ穴９に位置した状態において、押込部１５を押込むことにより曲げ部材１４を逃げ穴９に嵌入させることで、内部導体２の先端部を曲げるものである。【選択図】図１
2011035994.tif 000002
【特許請求の範囲】
【請求項１】
本体部材と、
回動軸を介して前記本体部材に対して開閉自在に設けられるカバー部材と、
からなり、
前記本体部材には、
その上面に、内部導体を中心に内部絶縁体、外部導体、被覆層とが順に積層される同軸ケーブルを保持する保持溝と、
前記保持溝の先端側であって、前記同軸ケーブルの前記内部導体を所定長、突出させた状態のとき、該突出させた前記内部導体の先端部が位置するように形成された逃げ穴と、  が形成され、
前記カバー部材には、
押込部を備える前記逃げ穴に嵌入する曲げ部材
が設けられ、
前記内部導体を所定長、突出させた状態の前記同軸ケーブルを前記保持溝に保持し、該保持により前記突出させた前記内部導体の先端部が前記逃げ穴に位置した状態において、前記押込部を押込むことにより前記曲げ部材を前記逃げ穴に嵌入させることで、前記内部導体の先端部を曲げること
を特徴とする内部導体先端曲げ治具。
【請求項２】
前記保持溝は、
前記内部導体を保持する内部導体保持溝と、
前記内部導体保持溝と連通し、前記同軸ケーブルの端部側の所定長を保持するケーブル保持溝と、
からなる本体側段付き保持溝であり、
該本体側段付き保持溝の前記ケーブル保持溝に前記同軸ケーブルの端部側の所定長を保持させると、前記内部導体が前記内部導体保持溝から前記逃げ穴に向けて所定長、突出すること
を特徴とする請求項１記載の内部導体先端曲げ治具。
【請求項３】
前記内部導体保持溝における前記逃げ溝側の底面及び該底面に対応する位置の前記曲げ部材の外表面に、前記内部導体を所定の曲率で曲げるためにアール部が形成されていること
を特徴とする請求項２記載の内部導体先端曲げ治具。
【請求項４】
前記カバー部材に、
前記本体部材側の前記本体側段付き保持溝に対応するカバー側段付き保持溝が形成されていること
を特徴とする請求項２又は３記載の内部導体先端曲げ治具。
【請求項５】
前記本体部材には、
その上面に、前記同軸ケーブルを位置決めして収容する本体側第１収容溝
が形成され、
前記カバー部材には、
前記本体部材側の前記本体側第１収容溝に対応するカバー側第１収容溝
が形成され、
該カバー側第１収容溝には、
前記被覆層から前記内部絶縁体までを切断する内部導体突出用切断刃
が設けられて、
前記被覆層から前記内部絶縁体までを切断除去する内部導体突出用除去治具が形成され、
前記同軸ケーブルを前記本体側第１収容溝に位置決めして収容し、その状態において、前記カバー部材を閉じることで、前記内部導体突出用切断刃で前記同軸ケーブルの先端部の前記被覆層から前記内部絶縁体までを切断除去して、前記内部導体を所定長、突出させること
を特徴とする請求項１〜４のいずれか記載の内部導体先端曲げ治具。
【請求項６】
前記内部導体突出用切断刃は、
先端の刃が半円弧状に形成され、
前記内部導体突出用除去治具を用いた前記同軸ケーブルの前記被覆層から前記内部絶縁体までの切断除去は、前記本体側第１収容溝に前記同軸ケーブルを位置決めして収容し、前記カバー部材を閉じ、且つ前記同軸ケーブルを１８０度軸回転させることにより行うこと
を特徴とする請求項５記載の内部導体先端曲げ治具。
【請求項７】
前記本体部材には、
その上面に、前記内部導体の先端部が曲げられた前記同軸ケーブルを位置決めして収容する本体側第２収容溝
が形成され、
前記カバー部材には、
前記本体部材側の前記本体側第２収容溝に対応するカバー側第２収容溝
が形成され、
該カバー側第２収容溝には、
前記被覆層を切断する外部導体露出用切断刃
が設けられて、
前記被覆層を切断除去する外部導体露出用除去治具が形成され、
前記内部導体の先端部が曲げられた前記同軸ケーブルを前記本体側第２収容溝に位置決めして収容し、その状態において、前記カバー部材を閉じることで、前記外部導体露出用切断刃で前記同軸ケーブルの先端部の前記被覆層を切断除去して、前記外部導体を所定長、露出させること
を特徴とする請求項１〜６のいずれか記載の内部導体先端曲げ治具。
【請求項８】
前記外部導体露出用切断刃は、
先端の刃が半円弧状に形成され、
前記外部導体露出用除去治具を用いた前記被覆層の切断除去は、前記本体側第２収容溝に前記内部導体の先端部が曲げられた前記同軸ケーブルを位置決めして収容し、前記カバー部材を閉じ、且つ前記内部導体の先端部が曲げられた前記同軸ケーブルを１８０度軸回転させることにより行うこと
を特徴とする請求項７記載の内部導体先端曲げ治具。
【発明の詳細な説明】
【技術分野】
【０００１】
本発明は、アンテナ等の機器に同軸ケーブルを接続する際に、当該機器の接続部と同軸ケーブルを接続しやすくするため、その同軸ケーブルの内部導体の先端を曲げる内部導体先端曲げ治具に関するものである。
【背景技術】
【０００２】
アンテナ等の機器に同軸ケーブルを接続しやすくするため、内部導体の先端を曲げ（折り曲げ）ている。
【０００３】
この曲げ作業は、同軸ケーブルの外部導体及び、内部導体を露出させたのち、露出させた内部導体先端をラジオペンチ等の工具を用いて手作業で行っている。
【先行技術文献】
【特許文献】
【０００４】
【特許文献１】特開平９−１７１８５５号公報
【発明の概要】
【発明が解決しようとする課題】
【０００５】
しかしながら、その曲げ作業は手作業で行うため、内部導体の曲げ位置にバラツキが生じやすい。内部導体の曲げ位置にバラツキが生じると、同軸ケーブルとアンテナ等の機器とを接続したときに、インピーダンス整合がとりづらくなる等の問題が生じ、その結果、同軸ケーブルと前記機器との接続作業が煩雑となってしまうおそれがある。
【０００６】
また、曲げ位置のバラツキを低減すべく曲げ作業に慎重を期すと、作業に時間がかかってしまうという問題がある。
【０００７】
さらに、内部導体を露出させるには、被覆層、外部導体、内部絶縁体をカッター等で手作業により切断除去して、内部導体を剥き出しているため、安全性が十分とはいえない。
【０００８】
そこで、本発明の目的は、前記課題を解決し、内部導体の曲げ位置の一定化を容易に実現することができる内部導体先端曲げ治具を提供することにある。また、曲げ作業時間の短縮及び、安全性の向上をはかることができる内部導体先端曲げ治具を提供することにある。
【課題を解決するための手段】
【０００９】
前記目的を達成するために請求項１の発明は、本体部材と、回動軸を介して前記本体部材に対して開閉自在に設けられるカバー部材と、からなり、前記本体部材には、その上面に、内部導体を中心に内部絶縁体、外部導体、被覆層とが順に積層される同軸ケーブルを保持する保持溝と、前記保持溝の先端側であって、前記同軸ケーブルの前記内部導体を所定長、突出させた状態のとき、該突出させた前記内部導体の先端部が位置するように形成された逃げ穴と、が形成され、前記カバー部材には、押込部を備える前記逃げ穴に嵌入する曲げ部材が設けられ、前記内部導体を所定長、突出させた状態の前記同軸ケーブルを前記保持溝に保持し、該保持により前記突出させた前記内部導体の先端部が前記逃げ穴に位置した状態において、前記押込部を押込むことにより前記曲げ部材を前記逃げ穴に嵌入させることで、前記内部導体の先端部を曲げる内部導体先端曲げ治具である。
【００１０】
請求項２の発明は、前記保持溝は、前記内部導体を保持する内部導体保持溝と、前記内部導体保持溝と連通し、前記同軸ケーブルの端部側の所定長を保持するケーブル保持溝と、からなる本体側段付き保持溝であり、該本体側段付き保持溝の前記ケーブル保持溝に前記同軸ケーブルの端部側の所定長を保持させると、前記内部導体が前記内部導体保持溝から前記逃げ穴に向けて所定長、突出する請求項１記載の内部導体先端曲げ治具である。
【００１１】
請求項３の発明は、前記内部導体保持溝における前記逃げ溝側の底面及び該底面に対応する位置の前記曲げ部材の外表面に、前記内部導体を所定の曲率で曲げるためにアール部が形成されていることを特徴とする請求項２記載の内部導体先端曲げ治具である。
【００１２】
請求項４の発明は、前記カバー部材に、前記本体部材側の前記本体側段付き保持溝に対応するカバー側段付き保持溝が形成されている請求項２又は３記載の内部導体先端曲げ治具である。
【００１３】
請求項５の発明は、前記本体部材には、その上面に、前記同軸ケーブルを位置決めして収容する本体側第１収容溝が形成され、前記カバー部材には、前記本体部材側の前記本体側第１収容溝に対応するカバー側第１収容溝が形成され、該カバー側第１収容溝には、前記被覆層から前記内部絶縁体までを切断する内部導体突出用切断刃が設けられて、前記被覆層から前記内部絶縁体までを切断除去する内部導体突出用除去治具が形成され、前記同軸ケーブルを前記本体側第１収容溝に位置決めして収容し、その状態において、前記カバー部材を閉じることで、前記内部導体突出用切断刃で前記同軸ケーブルの先端部の前記被覆層から前記内部絶縁体までを切断除去して、前記内部導体を所定長、突出させる請求項１〜４のいずれか記載の内部導体先端曲げ治具である。
【００１４】
請求項６の発明は、前記内部導体突出用切断刃は、先端の刃が半円弧状に形成され、前記内部導体突出用除去治具を用いた前記同軸ケーブルの前記被覆層から前記内部絶縁体までの切断除去は、前記本体側第１収容溝に前記同軸ケーブルを位置決めして収容し、前記カバー部材を閉じ、且つ前記同軸ケーブルを１８０度軸回転させることにより行う請求項５記載の内部導体先端曲げ治具である。
【００１５】
請求項７の発明は、前記本体部材には、その上面に、前記内部導体の先端部が曲げられた前記同軸ケーブルを位置決めして収容する本体側第２収容溝が形成され、前記カバー部材には、前記本体部材側の前記本体側第２収容溝に対応するカバー側第２収容溝が形成され、該カバー側第２収容溝には、前記被覆層を切断する外部導体露出用切断刃が設けられて、前記被覆層を切断除去する外部導体露出用除去治具が形成され、前記内部導体の先端部が曲げられた前記同軸ケーブルを前記本体側第２収容溝に位置決めして収容し、その状態において、前記カバー部材を閉じることで、前記外部導体露出用切断刃で前記同軸ケーブルの先端部の前記被覆層を切断除去して、前記外部導体を所定長、露出させる請求項１〜６のいずれか記載の内部導体先端曲げ治具である。
【００１６】
請求項８の発明は、前記外部導体露出用切断刃は、先端の刃が半円弧状に形成され、前記外部導体露出用除去治具を用いた前記被覆層の切断除去は、前記本体側第２収容溝に前記内部導体の先端部が曲げられた前記同軸ケーブルを位置決めして収容し、前記カバー部材を閉じ、且つ前記内部導体の先端部が曲げられた前記同軸ケーブルを１８０度軸回転させることにより行う請求項７記載の内部導体先端曲げ治具である。
【発明の効果】
【００１７】
本発明によれば、内部導体の曲げ位置の一定化を容易に実現することができる。また、曲げ作業時間の短縮及び、安全性の向上をはかることができる。
【図面の簡単な説明】
【００１８】
【図１】（ａ），（ｂ）は、本発明の第一の実施の形態に係る内部導体先端曲げ治具を示す外観図である。
【図２】（ａ）は、図１（ａ）の本体部材のＡ−Ａ線断面図、（ｂ）は、本体部材の平面図、（ｃ）は、本体部材の正面図である。
【図３】（ａ）は、図１（ａ）のカバー部材のＡ−Ａ線断面図、（ｂ）は、カバー部材の平面図である。
【図４】（ａ）は、押込部の側面図、（ｂ）は、押込部の正面図である。
【図５】（ａ）〜（ｄ）は、図１の内部導体先端曲げ治具の動作を説明する図である。
【図６】（ａ），（ｂ）は、本発明の第二の実施の形態に係る内部導体先端曲げ治具を示す外観図である。
【図７】（ａ）は、図６の内部導体先端曲げ治具のカバー部材の平面図、（ｂ）は、図６の内部導体先端曲げ治具のカバー部材の正面図である。
【図８】（ａ）は、図６の内部導体先端曲げ治具の本体部材の平面図、（ｂ）は、図６の内部導体先端曲げ治具の本体部材の正面図である。
【図９】（ａ）は、被覆層から内部絶縁体までを切断除去する内部導体突出用除去治具の外観図、（ｂ）は、被覆層を切断除去する外部導体露出用除去治具の外観図である。
【図１０】（ａ）〜（ｃ）は、図６の内部導体先端曲げ治具を用いた内部導体突出作業（工程１）を説明する図である。
【図１１】（ｅ）〜（ｈ）は、図６の内部導体先端曲げ治具を用いた内部導体先端曲げ作業（工程２）を説明する図である。
【図１２】（ｉ）〜（ｋ）は、図６の内部導体先端曲げ治具を用いた外部導体露出作業（工程３）を説明する図である。
【発明を実施するための形態】
【００１９】
以下、本発明の好適な実施の形態を添付図面に基づいて詳述する。
【００２０】
図１（ａ），（ｂ）は、第一の実施の形態に係る内部導体先端曲げ治具を示す外観図である。
【００２１】
図１（ａ），（ｂ）に示すように、第一の実施の形態に係る内部導体先端曲げ治具１は、内部導体と、その内部導体の外周に内部絶縁体を介して設けられた外部導体と、その外部導体を被覆する被覆層とを備えた同軸ケーブルの内部導体を、同軸ケーブル端面から突出させた状態で曲げるものである。
【００２２】
また内部導体先端曲げ治具１は、本体部材５と、回動軸７を介して本体部材５に対して開閉自在に連結されたカバー部材６とで、ホッチキス型に形成される。
【００２３】
図２（ａ），（ｂ）に示すように、本体部材５は、全体に細長長方形に形成されたカバー本体５ａの一端に、回動軸７を挿入する穴７ａが形成された幅狭のヒンジ部５ｂが一体に設けられて形成され、そのカバー本体５ａのヒンジ部５ｂと対向する他端の上面３０に本体側段付き保持溝８が形成され、その本体側段付き保持溝８の先端に、同軸ケーブルの内部導体を所定長、突出させた状態のとき、突出させた内部導体の先端部が位置するように逃げ穴９が形成されたものである。この逃げ穴９は、後述する曲げ部材１４が回転しないように、四角形などの異形断面に形成される。
【００２４】
本体側段付き保持溝８は、内部導体を保持する断面円弧状の内部導体保持溝１０と、内部導体保持溝１０と連通し、同軸ケーブルの端部側の所定長を保持する断面円弧状のケーブル保持溝１１とからなる（図２（ｃ）参照）。
【００２５】
内部導体保持溝１０の先端には、内部導体を所定の曲率で曲げるためのアール部１２が形成されている（図２（ａ）のＤ1参照）。
【００２６】
逃げ穴９の両側（図２（ｂ）では、逃げ穴９の上下）には、第一面２７が形成されている。この第一面２７は、カバー部材６を閉じたときに、カバー部材６の下面の一部が当接するようになっている。
【００２７】
内部導体保持溝１０の両側には、第二面２８が形成されている。この第二面２８は、カバー部材６を閉じたときに、後述するカバー部材６の凸部１３が当接するようになっている。
【００２８】
また、ケーブル保持溝１１の両側には、第三面２９が形成される。この第三面２９は、カバー部材６を閉じたときに、本体側段付き保持溝８の上側に位置するカバー部材６の下面が当接するようになっている。
【００２９】
これにより、ケーブル保持溝１１に同軸ケーブルの外部導体を固定する。
【００３０】
これら第一面２７，第二面２８，第三面２９により、カバー部材６を閉じたときに、カバー部材６を所定の位置で支持するようになっている。
【００３１】
図３に示すように、カバー部材６の一端には、回動軸７を挿入する穴７ａが形成された取付片６ａが一体に形成される。この取付片６ａが、回動軸７を介して、本体部材５のヒンジ部５ｂと開閉自在に連結される。
【００３２】
本体部材５の第二面２８と対応するカバー部材６の下面には、カバー部材６を閉じたときに第二面２８に当接する凸部１３が形成されている。この凸部１３と、本体部材５の第二面２８とで、同軸ケーブルを挟み込んで保持する。
【００３３】
また、カバー部材６には、後述する押込ボタン１８を上下に摺動自在に保持する貫通穴１９が形成される。
【００３４】
この貫通穴１９に保持される押込ボタン１８は、図４（ａ），（ｂ）に示すように、カバー部材６の下面側に設けられ、逃げ穴９に嵌入する曲げ部材１４と、カバー部材６の上面側に設けられ、曲げ部材１４を押し込む、押込部１５と、曲げ部材１４と押込部１５とを接続する小径棒２１とからなる。
【００３５】
曲げ部材１４には、図４（ａ），（ｂ）に示すように、内部導体保持溝１０と同様に内部導体２を所定の曲率で曲げるためのアール部２０が形成される。
【００３６】
この曲げ部材１４と、押込部１５とは、小径棒２１で接続され、押込部１５を押し込むことで、曲げ部材１４が逃げ穴９に押し込まれるようになっている。
【００３７】
そのため、貫通穴１９は、カバー部材６の下面側に開口され、曲げ部材１４を摺動自在に収容する異形断面穴２２と、上面側に開口された上側大径穴２３と、異形断面穴２２と上側大径穴２３を連通し、小径棒２１を摺動自在に収容する小径穴２４とからなる。
【００３８】
上側大径穴２３の底部には、座２５が形成され、その座２５と押込部１５の下面との間には、弾性部材２６が設けられ、常時は押込ボタン１８を上方に付勢している。
【００３９】
この内部導体先端曲げ治具１を用いた曲げ作業を説明する。
【００４０】
図５（ａ）に示すように、あらかじめ外部導体３を露出させた同軸ケーブル４の端部から、内部導体２を所定長さ突出させておき、内部導体先端曲げ治具１のカバー部材６を開き、内部導体２を所定長さ突出させた同軸ケーブル４を、本体部材５の本体側段付き保持溝８に収容する。つまり、本体側段付き保持溝８の内部導体保持溝１０に内部導体２を収容すると共に、ケーブル保持溝１１に外部導体３を収容する。このとき、内部導体２を所定長さ突出させた同軸ケーブル４の外部導体３の端面が、内部導体保持溝１０と、ケーブル保持溝１１の段差で固定され、一定の位置に位置決めされて保持される。
【００４１】
次に、図５（ｂ）に示すように、カバー部材６を閉めて、カバー部材６の凸部１３と、本体部材５の第二面２８とで、同軸ケーブル４を挟み込んで保持する。
【００４２】
その後、図５（ｃ）に示すように、押込ボタン１８を押すことで、押込部１５を押し込んで、それと共に、曲げ部材１４で、逃げ穴９に位置する同軸ケーブル４の内部導体２の先端を曲げる。このとき、内部導体２の先端は、本体側段付き保持溝８のアール部１２と、曲げ部材１４のアール部２０とによって所定のアール形状にされる。
【００４３】
その後、カバー部材６を開き、内部導体２の先端が所定のアール形状となった同軸ケーブル４を、本体部材５の本体側段付き保持溝８から取り出すと、図５（ｄ）に示すように、一定の位置で先端が曲げられた同軸ケーブル４が得られる。
【００４４】
以上要するに、内部導体先端曲げ治具１によれば、内部導体２の先端を、外部導体３の端面から一定の位置で曲げることができる。また、ホッチキス型の内部導体先端曲げ治具１によれば、本体部材５とカバー部材６で同軸ケーブル４を挟み込んで保持し、その後、押込ボタン１８を押すだけで、内部導体２の先端を一定の位置で、所定のアール形状に折り曲げることができるので、作業時間を短縮できる。
【００４５】
本体側段付き保持溝８は、内部導体２を保持する内部導体保持溝１０と、内部導体保持溝１０と連通し、同軸ケーブル４の端部側の所定長を保持するケーブル保持溝１１とからなり、その本体側段付き保持溝８で同軸ケーブル４を保持することで、逃げ穴９に位置する内部導体２の長さを一定にすることができ、曲げ位置の一定化が容易となる。
【００４６】
内部導体保持溝１０と、曲げ部材１４には、内部導体２を所定の曲率で曲げるためのアール部（１２，２０）が形成されているので、内部導体２に所定のアール形状をつけることができる。
【００４７】
第一の実施の形態では、同軸ケーブル４を保持する保持溝として、本体側段付き保持溝８のみを形成したが、カバー部材６に、本体部材５側の本体側段付き保持溝８に対応するカバー側段付き保持溝を形成して、このカバー側段付き保持溝と本体側段付き保持溝８とで同軸ケーブル４を挟み込んで保持する保持溝を形成するようにしてもよい。
【００４８】
次に、第二の実施の形態を説明する。
【００４９】
第一の実施の形態に係る内部導体先端曲げ治具１は、内部導体２の先端を曲げる構成のみを備えていたが、第二の実施の形態に係る内部導体先端曲げ治具１００は、図６に示すように、内部導体先端を曲げる構成１０１に加え、被覆層から内部絶縁体までを切断除去する内部導体突出用除去治具１０２と、被覆層を切断する外部導体露出用除去治具１０３とをさらに備える。
【００５０】
図７〜図９に示すように、被覆層から内部絶縁体までを切断除去する内部導体突出用除去治具１０２は、本体部材１０４と、カバー部材１０５に形成され、同軸ケーブルを位置決めして収容する断面円弧状の収容溝１０６（カバー側第１収容溝１０６ａ，本体側第１収容溝１０６ｂ）と、カバー部材１０５に設けられ、被覆層から内部絶縁体までを切断する内部導体突出用切断刃１０７と、本体部材１０４の本体側第１収容溝１０６ｂを横断するように形成され、内部導体突出用切断刃１０７の先端を収容して受ける細長長方形の内部導体突出用切断刃用受け溝１２０とからなる。内部導体突出用切断刃１０７は、カバー部材１０５のカバー側第１収容溝１０６ａに形成された細長長方形の貫通穴１１９を通じて保持され、先端の刃１０７ａが半円弧状に形成される。
【００５１】
被覆層を除去する外部導体露出用除去治具１０３は、本体部材１０４と、カバー部材１０５に形成され、同軸ケーブル１１０を位置決めして保持する断面円弧状の収容溝１０８（カバー側第２収容溝１０８ａ，本体側第２収容溝１０８ｂ）と、カバー部材１０５に設けられ、被覆層を切断する外部導体露出用切断刃１０９と、本体部材１０４の本体側第２収容溝１０８ｂを横断するように形成され、外部導体露出用切断刃１０９の先端を収容して受ける細長長方形の外部導体露出用切断刃用受け溝１２２とからなる。外部導体露出用切断刃は１０９は、カバー部材１０５のカバー側第２収容溝１０８ａに形成された細長長方形の貫通穴１２１を通じて保持され、先端の刃１０９ａが半円弧状に形成される。
【００５２】
この内部導体先端曲げ治具１００を用いた、同軸ケーブル１１０の曲げ作業を図１０〜図１２で説明する。この作業は、同軸ケーブル１１０の被覆層１１０ａから内部絶縁体までを切断除去する内部導体突出作業（工程１）と、内部導体突出作業（工程１）によって突出された内部導体１１１の先端を曲げる内部導体先端曲げ作業（工程２）と、内部導体先端曲げ作業（工程２）によって内部導体１１１の先端が曲げられた同軸ケーブル１１０の被覆層１１０ａを切断除去する外部導体露出作業（工程３）とからなる。
【００５３】
まず、図１０（ａ）〜（ｃ）に示す内部導体突出作業（工程１）は、図１０（ａ）に示すように、未加工の同軸ケーブル１１０を用意し、内部導体先端曲げ治具１００のカバー部材１０５を開き、用意した同軸ケーブル１１０を、本体部材１０４の本体側第１収容溝１０６ｂの端部に位置決めして収容する。
【００５４】
次に、図１０（ｂ）に示すように、カバー部材１０５を閉めて、カバー部材１０５のカバー側第１収容溝１０６ａと、本体部材１０４の本体側第１収容溝１０６ｂとで、同軸ケーブルを挟み込んで保持すると共に、同軸ケーブル１１０を１８０度回転させ、内部導体突出用切断刃１０７で、被覆層１１０ａから内部絶縁体までを切断除去する。
【００５５】
その後、図１０（ｃ）に示すように、同軸ケーブル１１０を引き抜いたのち、カバー部材１０５を開くと、内部導体１１１が突出された同軸ケーブル１１０が得られ、被覆層１１０ａから内部絶縁体までの除去屑１２３は、内部導体突出用切断刃１０７の円弧状の刃１０７ａに引っかかって、本体部材１０４の本体側第１収容溝１０６ｂに残る。
【００５６】
次に、図１１（ｅ）〜（ｈ）に示す内部導体先端曲げ作業（工程２）では、上述した本発明の第一の実施の形態と同様の手順で、内部導体１１１の先端曲げ作業を行う。
【００５７】
まず、図１１（ｅ）に示すように、内部導体先端曲げ治具１００のカバー部材１０５を開き、内部導体突出作業（工程１）で内部導体１１１を突出させた同軸ケーブル１１０を、図４（ａ）と同様に、本体部材１０４の本体側段付き保持溝１１２ｂに位置決めして収容する。つまり、本体側段付き保持溝１１２ｂの内部導体保持溝１１３ｂに内部導体１１１を収容すると共に、ケーブル保持溝１１４ｂに同軸ケーブル１１０を収容する。
【００５８】
次に、図１１（ｆ）に示すように、カバー部材１０５を閉めて、図４（ｂ）と同様に、カバー部材１０５のカバー側段付き保持溝１１２ａと、本体部材１０４の本体側段付き保持溝１１２ｂとで、同軸ケーブル１１０を挟み込んで保持する。
【００５９】
その後、図１１（ｇ）に示すように、押込ボタン１１５を押すことで、押込部１１６を押し込んで、それと共に、曲げ部材１１７で、同軸ケーブル１１０の内部導体１１１の先端を曲げる。このとき、内部導体１１１先端は、図４（ｃ）と同様に、本来側段付き保持溝１１２ｂのアール部１２５と、曲げ部材１１７のアール部１１８とによって所定のアール形状にされる（図１１（ｇ）のＤ2参照）。
【００６０】
その後、カバー部材１０５を開き、内部導体１１１の先端が所定のアール形状となった同軸ケーブル１１０を、本体部材１０４の本来側段付き保持溝１１２ｂから取り出すと、図１１（ｈ）に示す、一定の位置で先端が曲げられた同軸ケーブル１１０が得られる。
【００６１】
つまり、内部導体先端曲げ作業（工程２）では、内部導体突出作業（工程１）で得られた同軸ケーブル１１０の内部導体１１１の先端が曲げられたものが得られる。
【００６２】
最後に、図１２（ｉ）〜（ｋ）に示す外部導体露出作業（工程３）は、図１２（ｉ）に示すように、カバー部材１０５を開き、内部導体先端曲げ作業（工程２）で得られた同軸ケーブル１１０を本体部材１０４の本体側第２収容溝１０８ｂに位置決めして保持する。
【００６３】
次に、図１２（ｊ）に示すように、カバー部材１０５を閉めて、カバー部材１０５のカバー側第２収容溝１０８ａと、本体部材１０４の本体側第２収容溝１０８ｂとで、同軸ケーブル１１０を挟み込んで保持すると共に、同軸ケーブル１１０を１８０度回転させ、外部導体露出用切断刃１０９で被覆層１１０ａを切断除去する。
【００６４】
その後、図１２（ｋ）に示すように、同軸ケーブル１１０を引き抜いたのち、カバー部材１０５を開くと、内部導体１１１と外部導体１２６とが順次露出された同軸ケーブル１１０が得られ、被覆層１１０ａの除去屑１２４は、外部導体露出用切断刃１０９の円弧状の刃１０９ａに引っかかって、本体部材１０４の本体側第２収容溝１０８ｂに残る。
【００６５】
これにより、同軸ケーブル１１０の内部導体１１１の先端曲げ作業が完了する。
【００６６】
以上要するに、内部導体先端曲げ治具１００によれば、内部導体突出用除去治具１０２で被覆層１１０ａから内部絶縁体までを安全に切断除去することができる。
【００６７】
また、外部導体露出用除去治具１０３で被覆層１１０ａを安全に切断除去することができる。
【００６８】
内部導体突出用切断刃１０７は、先端の刃１０７ａが半円弧状に形成され、内部導体突出用除去治具１０２を用いた被覆層１１０ａから内部絶縁体までの切断除去は、本体側第１収容溝１０６ｂに同軸ケーブル１１０を収容すると共に、カバー部材１０５を閉じ同軸ケーブル１１０を１８０度軸回転させることで、容易に被覆層１１０ａから内部絶縁体までを切断除去することができる。
【００６９】
外部導体露出用切断刃１０９は、先端の刃１０９ａが半円弧状に形成され、外部導体露出用除去治具１０３を用いた被覆層１１０ａの切断除去は、本体側第２収容溝１０８ｂに同軸ケーブル１１０を収容すると共に、カバー部材１０５を閉じ同軸ケーブル１１０を１８０度軸回転させることで、容易に被覆層１１０ａを除去することができる。
【００７０】
よって、内部導体先端曲げ治具１００によれば、安全且つ容易に同軸ケーブル１１０をアンテナ等の機器に接続しやすくするための作業を一度に行うことができる。また、他の治具を必要としないため、コストを低く抑えることも可能である。
【００７１】
前記実施の形態では、カバー側第１収容溝１０６ａ，本体側第１収容溝１０６ｂとカバー側第２収容溝１０８ａ，本体側第２収容溝１０８ｂの形状を半円弧状としたが、これに限定されず、例えば断面Ｖ字状としても良い。断面Ｖ字状とすることで、上下の溝で同軸ケーブル１１０を四点支持することができ、同軸ケーブル１１０を安定に保持できる。
【符号の説明】
【００７２】
１  内部導体先端曲げ治具
２  内部導体
４  同軸ケーブル
５  本体部材
６  カバー部材
７  回動軸
８  本体側段付き保持溝
９  逃げ穴
１４  曲げ部材
１５  押込部
【図１】
2011035994.tif 000003
【図２】
2011035994.tif 000004
【図３】
2011035994.tif 000005
【図４】
2011035994.tif 000006
【図５】
2011035994.tif 000007
【図６】
2011035994.tif 000008
【図７】
2011035994.tif 000009
【図８】
2011035994.tif 000010
【図９】
2011035994.tif 000011
【図１０】
2011035994.tif 000012
【図１１】
2011035994.tif 000013
【図１２】
2011035994.tif 000014